(57)【要約】  【課題】  表示部を筐体内に収納可能とし、この筐体を湾曲しているダッシュボード上にも安定状態を保って取り付けできるようにする。  【解決手段】  左右に取付部４を有する筐体１と、車両のダッシュボード上に固定される取付プレート６とを有し、取付プレート６は、表示装置１の取付部４が着脱可能に固定される取付ブラケット７を左右に有し、取付ブラケット７の間には剛性部分であるリブ１０が形成され、取付ブラケット７の周囲には開口穴８およびスリット９により可撓性部分Ｆが形成されている。【選択図】  図１
2006044557.tif 000002
【特許請求の範囲】
【請求項１】
映像を表示する表示部と、前記表示部を引き出し可能に収納する筐体と、前記筐体の底部に設けられ中央部に剛性部分を有し周辺部に可撓性部分を有する取付プレートとを備えたことを特徴とする表示装置。
【請求項２】
映像を表示する表示部と、前記表示部を引き出し可能に収納するとともに周辺部に取付部を有する筐体と、前記取付部に着脱可能に固定され、中央部に剛性部分を有し周辺部に可撓性部分を有する取付プレートとを備えたことを特徴とする表示装置。
【請求項３】
前記取付プレートは、前記剛性部分にリブを有したことを特徴とする請求項１または請求項２に記載の表示装置。
【請求項４】
前記取付プレートは、前記リブの両側に前記筐体の取付部に固定される逆Ｌ字形の取付ブラケットを有することを特徴とする請求項３に記載の表示装置。
【請求項５】
前記筐体および前記取付プレートを覆うカバーを備えたことを特徴とする請求項１ないし請求項４のいずれかに記載の表示装置。
【請求項６】
前記カバーにＧＰＳアンテナが配置されていることを特徴とする請求項５に記載の表示装置。
【請求項７】
取り付けられるべき筐体を固定するブラケットと、中央部に設けられた剛性部分と、周辺部に設けられた可撓性部分とを有する取付プレート。
【請求項８】
前記剛性部分にリブを有し、前記取付ブラケットは前記リブの両側に逆Ｌ字形に設けられ、スリットを介して前記可撓性部分と一体であることを特徴とする請求項７に記載の取付プレート。
【発明の詳細な説明】
【技術分野】
【０００１】
本発明は、例えば車両のダッシュボード上に固定される表示装置に関するものである。
【背景技術】
【０００２】
従来、ナビゲーション装置に地図を表示したり、テレビ受信機やＤＶＤプレーヤに再生画像を表示するためのモニターは、装置本体と一体に構成されて、車両内のダッシュボードやセンターコンソール等に取り付けられていた。また、モニターをダッシュボード内に収納可能に設けて、必要な時にのみ引き出して見るように構成した装置もある（例えば、特許文献１参照）。
【０００３】
また、モニターを見るために運転者の視線移動を少なくするために、あるいはモニターが大型である場合などに、モニターだけをダッシュボード上に配置する装置も提案されている（例えば、特許文献２参照）。図７は従来のこのような表示装置の例を示しており、表示部１０１を回動自在に支持する取付装置１０２と、取付装置１０２に設けられて相手部材に固定される取付板１０３とを備え、取付板１０３が、剛性を有する中央部と可撓性を有する周辺部とを有しており、取付板１０３の中央部は、取付装置１０２およびこれに取り付けられた表示部１０１の全荷重を受けるため剛性を有し、その周辺部は相手部材の湾曲面に沿えるように可撓性を有するので、表示部１０１の取付装置として強度と相手部材に対する追従性とを両立することができる。
【特許文献１】特開平１１−２８８２２７号公報
【特許文献２】特開２００２−１６０５８６号公報
【発明の開示】
【発明が解決しようとする課題】
【０００４】
しかしながら、従来の表示装置においては、表示部をダッシュボード上に取り付けることができても表示部を収納することができなかった。また、表示部を筐体内に収納することも考えられるが、この場合には、表示部を収納する筐体は通常は底面が水平であり、湾曲しているダッシュボード上には取り付けられないという問題があった。
【０００５】
本発明は、このような従来の問題を解決するためになされたもので、湾曲しているダッシュボード上にも安定状態を保って取り付けることのできる表示部を収納可能な表示装置を提供することを目的とする。
【課題を解決するための手段】
【０００６】
本発明は、映像を表示する表示部と、前記表示部を引き出し可能に収納する筐体と、前記筐体の底部に設けられ中央部に剛性部分を有し周辺部に可撓性部分を有する取付プレートとを備えた構成を有している。この構成により、ダッシュボードに固定される取付プレートの周辺部が可撓性部分を有するため、ダッシュボードが湾曲していても、周辺部の可撓性部分により取付プレートをダッシュボードの湾曲形状に追従させることができ、取付プレートの中央部の剛性部分により、表示部を収納する筐体をダッシュボード上に安定状態を保って取り付けることができる。
【０００７】
また、本発明は、映像を表示する表示部と、前記表示部を引き出し可能に収納するとともに周辺部に取付部を有する筐体と、前記筐体の取付部に着脱可能に固定され、中央部に剛性部分を有し周辺部に可撓性部分を有する取付プレートとを備えた構成を有している。この構成により、ダッシュボードに固定される取付プレートの周辺部が可撓性部分を有するため、ダッシュボードが湾曲していても、周辺部の可撓性部分により取付プレートをダッシュボードの湾曲形状に追従させることができ、取付プレートの中央部の剛性部分により、表示部を収納する筐体をダッシュボード上に安定状態を保って取り付けることができる。また、表示部を収納する筐体が取付プレートに対し着脱可能になっているので、筐体の取付プレートへの取り付けおよび交換が容易である。
【０００８】
また、本発明の表示装置は、前記取付プレートが、前記剛性部分にリブを有したことを特徴とする。この構成により、剛性部分を簡単な構造により実現することができる。
【０００９】
また、本発明の表示装置は、前記取付プレートが、前記リブの両側に前記筐体の取付部に固定される逆Ｌ字形の取付ブラケットを有することを特徴とする。この構成により、剛性部分のリブにより取付ブラケットの位置および角度を維持す
ることができ、表示部を収納する筐体をダッシュボード上に水平状態に取り付けることができる。また、取付ブラケットを逆Ｌ字形に段違いに曲げることでそれ自体が補強リブの効果を有するため、短手方向での固定箇所がずれることを防止できるとともに、取付ねじを用いて筐体の取付部を取付プレートに固定しても、ダッシュボードに干渉しない構造を得ることができる。さらに、表示装置の取り付け後に車両の振動を受けても、取付ブラケットにより取付プレートと筐体との間に隙間が形成されているので、振動の影響を低減することができる。
【００１０】
また、本発明の表示装置は、前記筐体および前記取付プレートを覆うカバーを備えたことを特徴とする。この構成により、ダッシュボード上へ取り付けた取付プレートおよび筐体をカバーで覆い隠すことができ、カバーによりダッシュボードと一体感を持たせることができる。
【００１１】
また、本発明の表示装置は、前記カバーにＧＰＳアンテナが配置されていることを特徴とする。この構成により、ＧＰＳアンテナを見えない場所に配置することで、表示装置としての機能と品位を増すことができる。
【００１２】
また、本発明は、取り付けられるべき筐体を固定するブラケットと、中央部に設けられた剛性部分と、周辺部に設けられた可撓性部分とを有する取付プレートである。この構成により、多機種多車種に対応して表示装置をダッシュボード上に安定状態を保って取り付けることができる。
【００１３】
また、本発明の取付プレートは、前記剛性部分にリブを有し、前記取付ブラケットは前記リブの両側に逆Ｌ字形に設けられ、スリットを介して前記可撓性部分と一体であることを特徴とする。この構成により、一枚の板で取付プレートを作成することができる。
【発明の効果】
【００１４】
本発明は、映像を表示する表示部と、前記表示部を引き出し可能に収納する筐体と、前記筐体の底部に設けられ中央部に剛性部分を有し周辺部に可撓性部分を有する取付プレートとを備えることにより、表示部を筐体内に収納可能とするとともに、この筐体を湾曲しているダッシュボード上でも安定状態を保って取り付けることができるという効果を有する表示装置を提供することができる。
【発明を実施するための最良の形態】
【００１５】
以下、本発明の実施の形態の表示装置について、図面を用いて説明する。
【００１６】
（実施の形態１）
本発明の第１の実施の形態の表示装置１を図１に示す。表示装置１は、テレビチューナーやＤＶＤ（Digital Versatile Disc）デッキ、ＨＤＤ（Hard Disc
Drive）などの図示しない映像信号出力装置とコネクタにより接続され、映像信号出力装置から送信された映像信号に応じた表示動作を行う表示部２と、表示部２を引き出し可能に収納する筐体３と、筐体３を固定する取付プレート６を備えている。映像信号出力装置からの映像信号は、無線により表示装置１で受信するものであってもよい。筐体３の左右の側面外側には１対の取付部４が水平方向に向けて形成され、各取付部４にはそれぞれ２個の取付穴５が形成されている。表示部２は、図示されないが、筐体３の側面内側に固定されたガイド部材に沿って、電動モータによりまたは手動により前後方向に摺動可能に取り付けられ、前方に引き出された位置では、ガイド部材の先端に設けられた水平軸の回りに回動可能になっており、画面を立ち上げて角度を調整できるようになっている。
【００１７】
一方、車両のダッシュボード上に固定される取付プレート６は、筐体３の１対の取付部４に対応する１対の取付ブラケット７が立ち上がり形成されている。各取付ブラケット７は、それぞれ互いに背を向けて逆Ｌ字形に形成され、その周囲を囲むようにして開口穴８とスリット９が連続して形成され、可撓性部分Ｆ（斜線で図示）が構成されている。また、１対の取付ブラケット７の間には、補強のための長い２本のリブ１０が並行に形成されている。さらに、各取付ブラケット７には、筐体３の取付部４に設けられた取付穴５に対応するねじ穴１１が形成されている。
【００１８】
以上のように構成された表示装置の組立動作について説明する。まず、取付プレート６を車両のダッシュボード上に運転者の運転の妨げとならない、かつ乗員が見やすい位置に両面接着テープにより固定する。この位置は、図２に示すように、車両によってはダッシュボード１３が湾曲している場合もある。このような場合には、開口穴８とスリット９により構成される可撓性部分Ｆにより取付プレート６の長手方向の周辺部が変形してダツシュボード１３の湾曲に追従することができ、かつリブ１０により中央部の変形が防止されるので、取付ブラケット７の位置および角度が水平状態に維持される。次に、表示装置１の取付部４を取付ブラケット７に位置合わせして、取付ねじ１２を取付穴５から取付ブラケット７のねじ穴１１にねじ止めする。これにより、図３に示すように、表示装置１を水平状態でダッシュボード１３に取り付けることができる。図４は表示部２を筐体３から引き出して視聴するために表示部２を立ち上げた状態を示している。なお、符号２０はハンドルを示している。
【００１９】
このように、本実施の形態１によれば、ダッシュボードに固定される取付プレート６には、左右の取付ブラケット７間の中央部には剛性部分であるリブ１０が形成され、また取付ブラケット７の周辺部には開口穴８およびスリット９を介して可撓性部分Ｆが形成されているので、可撓性部分Ｆにより取付プレート６を湾曲しているダッシュボード上にも取り付けることができ、かつ、剛性部分のリブ１０により取付ブラケット７の位置および角度を水平状態に維持することができるので、表示部２を収納する筐体３をダッシュボード上に水平状態で取り付けることができる．また、取付ブラケット７を逆Ｌ字形に段違いに曲げることでそれ自体が補強リブの効果を有するため、取付プレート６の短手方向での固定箇所がずれることを防止できるとともに、取付ねじ１２を挿入してもダッシュボードに干渉しない構造を得ることができる。さらに、表示装置１の取り付け後に車両の振動を受けても、取付ブラケット７により取付プレート６と筐体３との間に隙間が形成されているので、振動の影響を低減することができる。さらに、取付プレート６と筐体３とを分離可能とすることで、多種類の表示部２をダッシュボード上で交換することもでき、電気的要因による表示装置の故障の際はメンテナンスが楽になるというメリットも生じる。
【００２０】
なお、上記実施の形態１において、表示部１の形状は平面形状としているが、形状を限定するものではなく、また、液晶ディスプレイ、プラズマディスプレイ、ＥＬパネル等の表示方式、サイズ、表示内容を限定するものでない。また、取付部４は筐体３と予め一体に形成されていても、取付部４を後から筐体３に固定するようにしてもよい。さらに、取付部４と取付ブラケット７との固定は両面接着テープであってもよく、また、取付プレート６のダッシュボード１３への取り付けはねじ等であってもよい。さらに、筐体３および取付プレート６は、樹脂成形品であっても金属板によるプレス成形品であってもよい。
【００２１】
（実施の形態２）
次に、本発明の第２の実施の形態の表示装置を図５および図６に示す。図５および図６において、本実施の形態２における表示装置１は、樹脂成形により形成された表示装置１を覆うためのカバー１４を備え、このカバー１４は、前面に開口部１５を有し、後部が滑らかに傾斜しており、側面には筐体３の嵌合穴に嵌合するための図示されない爪を備えている。開口部１５は、表示装置１の表示部２を筐体３から引き出して、表示部２を立ち上げて視聴できるようにするためである。このカバー１４により、筐体３が箱型に作られていても、筐体３を曲面状のカバー１４で覆い隠すことにより、ダッシュボード１３との一体感を得ることができる。さらに、カバー１４内面に防音、断熱材を貼ることで車室内での防音効果と、高温にさらされるダッシュボード１３上で表示装置１を高温から守ることができる。
【００２２】
以上のように、本発明の第２の実施の形態の表示装置によれば、前面に開口部１５を有して表示装置１を覆うカバー１４を設けることにより、表示部２の収納に影響することなく筐体３を覆い隠すことができる。
【００２３】
なお、本実施の形態２においては、カバー１４は樹脂の成形品であったが、金属板でプレス成形されてもよく、開口部１５を覆う開閉可能な蓋を設けて、使用しない時には蓋をして埃等の侵入を防止するようにしてもよい。また、カバー１４により筐体３を覆い隠すと説明したが、カバー１４自体が表示部１を収納するための筐体を兼ねていてもよい。また、カバー１４内に、ナビゲーション装置におけるＧＰＳアンテナと、表示装置１を制御するリモコン受光部の少なくともどちらか一方を収納することにより、表示装置としての機能と品位を増すことができる。ＧＰＳアンテナは、カバー１４の後部に配置することが好ましく、リモコン受光部はカバー１４の前部に配置することが好ましい。
【産業上の利用可能性】
【００２４】
以上のように、本発明にかかる表示装置は、表示部を筐体内に収納可能とするとともに、この筐体を湾曲しているダッシュボード上でも安定状態を保って取り付けることができるという効果を有し、例えば車両のダッシュボード上に固定される表示装置等として有用である。
【図面の簡単な説明】
【００２５】
【図１】本発明の第１の実施の形態における表示装置の分解斜視図
【図２】本発明の第１の実施の形態における表示装置の部分断面側面図
【図３】本発明の第１の実施の形態における表示装置の収納状態の斜視図
【図４】本発明の第１の実施の形態における表示装置の使用状態の斜視図
【図５】本発明の第２の実施の形態における表示装置の正面から見た斜視図
【図６】本発明の第２の実施の形態における表示装置の背面から見た斜視図
【図７】従来の表示装置の分解斜視図
【符号の説明】
【００２６】
１  表示装置
２  表示部
３  筐体
４  取付部
５  取付穴
６  取付プレート
７  取付ブラケット
８  開口穴
９  スリット
１０  リブ
１１  ねじ穴
１２  取付ねじ
１３  ダッシュボード
１４  カバー
１５  開口部
２０  ハンドル
Ｆ  可撓性部分
【図１】
2006044557.tif 000003
【図２】
2006044557.tif 000004
【図３】
2006044557.tif 000005
【図４】
2006044557.tif 000006
【図５】
2006044557.tif 000007
【図６】
2006044557.tif 000008
【図７】
2006044557.tif 000009